(57)【要約】【課題】工業化によるさまざまな利点が得られるように、同じ部品でさまざまな勾配の階段に対応できる階段の手すり構造を提供する。【解決手段】階段４１の腰壁１と、腰壁１に沿って設けられる手すり笠木２と、腰壁１から手すり笠木２側に突出して、手すり笠木２を支持するための支持部３とを備え、手すり笠木２は、その勾配の可変調整が可能な状態で支持部３により支持されている。【選択図】  図１
2004211483.tif 000002
【特許請求の範囲】
【請求項１】
階段の腰壁と、
前記腰壁に沿って設けられる手すり笠木と、
前記腰壁から前記手すり笠木側に突出して、該手すり笠木を支持するための支持部とを備え、
前記手すり笠木は、その勾配の可変調整が可能な状態で前記支持部により支持されていることを特徴とする階段の手すり構造。
【請求項２】
前記手すり笠木は、前記腰壁の上方に設けられていることを特徴とする請求項１に記載の階段の手すり構造。
【請求項３】
前記手すり笠木と前記腰壁との間が面材で塞がれていることを特徴とする請求項２に記載の階段の手すり構造。
【請求項４】
前記腰壁の側面を板材で張り仕上げしてある階段の手すり構造であって、
前記板材は、前記腰壁から上方に延出する延出部を有し、この延出部によって前記手すり笠木と該腰壁との間が塞がれていることを特徴とする請求項２に記載の階段の手すり構造。
【請求項５】
前記支持部は、前記腰壁の上側縁の一端部から前記手すり笠木側に突出して、該手すり笠木の一端部を支持するための第一支持部と、
前記腰壁の上側縁の他端部から前記手すり笠木側に突出して、該手すり笠木の他端部を支持するための第二支持部とからなることを特徴とする請求項１から請求項４のいずれか一項に記載の階段の手すり構造。
【発明の詳細な説明】
【０００１】
【発明の属する技術分野】
本発明は、規格化された部品により組み立てられる建築物に用いられる階段の手すり構造に関する。
【０００２】
【従来の技術】
従来の階段の手すり構造としては、例えば階段の勾配と同じ勾配を有する手すり笠木と、手すり笠木の上階側と下階側とをそれぞれ支持するための手すり子とを備え、手すり笠木がその勾配の可変調整が可能な状態で手すり子により支持されているものが開示されている（例えば、特許文献１参照）。
このような階段の手すり構造によれば、手すり笠木の勾配を可変調整することが可能となるので、同じ部品でさまざまな勾配の階段に対応できることとなり、これにより、製作する部品の量をまとめることが可能となり、工業化によるさまざまな利点が得られることとなる。
【０００３】
【特許文献１】
特開平１０−２７３９５６号公報
【０００４】
【発明が解決しようとする課題】
ところで、階段の手すりの具体的な態様としては、上記したような手すり笠木及び手すり子からなるものだけでなく、腰壁からなるものや、腰壁からなるものと手すり笠木及び手すり子からなるものとの組み合わせなど、さまざまなものがある。
したがって、手すり笠木及び手すり子からなる階段の手すり以外の態様に対しても、同じ部品でさまざまな勾配の階段に対応できるようにすることが望まれている。
【０００５】
そこで、本発明の課題は、工業化によるさまざまな利点が得られるように、同じ部品でさまざまな勾配の階段に対応できる階段の手すり構造を提供することにある。
【０００６】
【課題を解決するための手段】
上記課題を解決するため、請求項１に記載の発明は、階段の手すり構造であるが、これは、例えば図１に示すように、階段４１の腰壁１と、腰壁１に沿って設けられる手すり笠木２と、腰壁１から手すり笠木２側に突出して、手すり笠木２を支持するための支持部３とを備え、手すり笠木２は、その勾配の可変調整が可能な状態で支持部３により支持されていることを特徴としている。
【０００７】
請求項１に記載の発明によれば、手すり笠木２の勾配を可変調整することが可能となるので、同じ部品でさまざまな勾配の階段４１に対応できる。
【０００８】
したがって、これによれば、製作する部品の量をまとめることが可能となり、工業化によるさまざまな利点が得られることとなる。
【０００９】
ここで、階段４１の腰壁としては、例えば図１に示すような、専ら階段に用いられる部品から構成される腰壁１であっても差し支えない。
【００１０】
ただし、製作する部品の量をさらにまとめることとして、工業化による利点がさらに得られるようにする観点からすれば、図３に示すような、階段以外の部位にも用いられる部品から構成される腰壁５１であることが好ましい。
【００１１】
また、請求項２に記載の発明は、例えば図１に示すように、請求項１に記載の階段の手すり構造において、手すり笠木２は、腰壁１の上方に設けられていることを特徴としている。
【００１２】
請求項２に記載の発明によれば、手すり笠木２が腰壁１から階段４１側に張り出す事態が回避されることとなり、これにより、昇降スペースの有効活用を図ることが可能となる。
【００１３】
さらに、請求項３に記載の発明は、請求項２に記載の階段の手すり構造において、手すり笠木と腰壁との間が面材で塞がれていることを特徴としている。
【００１４】
請求項３に記載の発明によれば、手すり笠木の勾配を可変調整した結果、手すり笠木と腰壁の上端縁とが平行とならない場合でも、外観を損なう事態が有効に回避されることとなる。
【００１５】
さらにまた、請求項４に記載の発明は、例えば図２に示すように、請求項２に記載の階段の手すり構造において、腰壁１の側面を板材１１で張り仕上げしてある階段の手すり構造であって、板材１１は、腰壁１から上方に延出する延出部１１ａを有し、この延出部１１ａによって手すり笠木２と腰壁１との間が塞がれていることを特徴としている。
【００１６】
請求項４に記載の発明によれば、手すり笠木２と腰壁１の上端縁とが平行とならない場合でも、外観を損なう事態が有効に回避されることとなり、しかも、手すり笠木２と腰壁１との間が下地を用いないで仕上げられることとなり、これにより、施工性の向上及び材料の節約を図ることも可能となる。
【００１７】
また、請求項５に記載の発明は、例えば図１に示すように、請求項１から請求項４のいずれか一項に記載の階段の手すり構造において、支持部３は、腰壁１の上側縁の一端部から手すり笠木２側に突出して、手すり笠木２の一端部を支持するための第一支持部３ａと、腰壁１の上側縁の他端部から手すり笠木２側に突出して、手すり笠木２の他端部を支持するための第二支持部３ｂとからなることを特徴としている。
【００１８】
請求項５に記載の発明によれば、手すり笠木２を一対の支持部３によって支持することが可能となるので、安定した支持状態が得られることとなり、これにより、円滑な可変設定を行うことが可能となる。
【００１９】
【発明の実施の形態】
以下、添付図面に基づいて本発明の実施の形態を詳細に説明する。
【００２０】
なお、ここでは、支持部が手すり笠木を直接支持している場合について説明するが、これに限られるものではなく、手すり笠木を備えるものを支持している限り、例えば手すり笠木を備えるバルコニー手すりなどの側柵を支持している場合でも、以下の説明が妥当する。
【００２１】
◎実施の形態１
図１は本発明の実施の形態１に係る階段の手すり構造の全体構成を示す側面図、図２は同階段の手すり構造の部分構成を示す斜視図である。
【００２２】
この実施の形態１において、階段の手すり構造は、規格化された部品により組み立てられる建築物に用いられるものとして構成されている。
【００２３】
そして、この階段の手すり構造は、図１に示すように、腰壁１と、手すり笠木２と、支持部３とを備えるものとして構成されている。
【００２４】
腰壁１は、図１に示すように、踏み板（図示外）とけ込み板（図示外）を側桁（図示外）に大入れに差し込んでなる階段４１に用いられるものであり、主として階段４１の側面からの墜落を防止する側壁としての機能を果たすものとして構成されている。
【００２５】
そして、この腰壁１は、工事現場以外の場所で前もって製作された部品であり、同図に示すように、手すり笠木２及び支持部３と一体となって手すりを構成するものとして構成されている。
【００２６】
この腰壁１によれば、例えば工場で前もって製作することにより、労働力を集約することが可能となっており、その結果、現場での工期短縮を図ることが可能となっている。
【００２７】
また、腰壁１を含む部品の寸法関係と建築物の設計の双方に適切なモデュラーコオディネーションがなされれば、明快な寸法関係になるとともに、部品の互換性が高められ、さまざまな利点を得ることが可能となっている。
【００２８】
なお、階段４１を構成する部材である踏み板やけ込み板としては、規格化された部品を用いているが、階段４１の構造上、現場で微調整して用いることが可能となっており、従来の階段の手すり構造のような問題は生じない。
【００２９】
また、手すり笠木２は、同図に示すように、腰壁１に沿って設けられ、階段４１を昇降する者が直接掴むものであり、主として昇降を補助し転落を防止する機能を果たすものとして構成されている。
【００３０】
そして、この手すり笠木２は、腰壁１と同様、工事現場以外の場所で前もって製作された部品であり、腰壁１及び支持部３と一体となって手すりを構成する部材として構成されている。
【００３１】
具体的には、この手すり笠木２としては、図１及び図２に示すように、大小の木製の細長板材１１を二枚重ねにしたものを用いている。このような二枚重ねの構成にしたのは、後記するように、腰壁１の側面を仕上材としての板材１１で張り仕上げする場合の施工性を顧慮したためである（図２参照）。
【００３２】
もちろん、これに限られるものではなく、昇降を補助し転落を防止し得るものであれば、材料や断面形状等の別を問わず、使い勝手や予算に応じて適宜選定して差し支えない。すなわち、この手すり笠木２として、例えば木製や金属製、塩化ビニル製の他、ＲＣや積層材からなるものも用いることができる。また、板状、管状の他、アルミ押し出し型材からなるものも用いることができる。
【００３３】
なお、この手すり笠木２は、昇降を補助し転落を防止し得るものであれば、呼び名の不一致を問わない。細丸太からなり、単に手すりと呼ばれるものや、支柱及び手すり子とともに用いられ、単に笠木と呼ばれるものも包含する。
【００３４】
ここで、手すり笠木２は、図１及び図２に示すように、腰壁１の上方に設けられている。
【００３５】
これにより、手すり笠木２が腰壁１から階段４１側に張り出す事態を回避することが可能となっており、その結果、昇降スペースの有効活用を図ることが可能となっている。
【００３６】
さらに、支持部３は、図１に示すように、腰壁１から手すり笠木２側に突出して、手すり笠木２を支持するために用いられるものとして構成されている。
【００３７】
そして、この支持部３は、腰壁１や手すり笠木２と同様、工事現場以外の場所で前もって製作された部品であり、腰壁１及び手すり笠木２と一体となって手すりを構成する部材として構成されている。
【００３８】
具体的には、この支持部３は、同図に示すように、腰壁１の上側縁に釘打ち固定され、腰壁１の上側縁においてその上面に垂直に形成されるネジ孔を有するボルト支持部３１と、上端部で手すり笠木２を支持するとともに下端部がネジ孔に螺着され、途中に多角形のナット３２ａが螺着された高さ調整ボルト３２とを備えるものとして構成されている。
【００３９】
すなわち、この支持部３によれば、多角形のナット３２ａをボルト締め付け具で回転させることにより、高さ調整ボルト３２自体の腰壁１の上側縁からの高さが調整されることとなっており、これにより、手すり笠木２の腰壁１の上側縁からの高さも調整されることとなっている。
【００４０】
ここで、支持部３は、同図に示すように、腰壁１の上側縁の一端部から手すり笠木２側に突出して、手すり笠木２の一端部を支持するための第一支持部３ａと、腰壁１の上側縁の他端部から手すり笠木２側に突出して、手すり笠木２の他端部を支持するための第二支持部３ｂとからなっている。
【００４１】
これにより、手すり笠木２を一対の支持部３によって支持することが可能となっており、安定した支持状態が得られることとなり、その結果、手すり笠木２の勾配の可変設定が円滑にできることとなっている。
【００４２】
すなわち、このような支持部３によれば、多角形のナット３２ａをボルト締め付け具で回転することにより、一対の高さ調整ボルト３２自体の腰壁１の上側縁からの高さを適宜調整することが可能となっており、これにより、手すり笠木２の勾配を可変調整することも可能となっている。
【００４３】
具体的には、この階段の手すり構造は、手すり笠木２が、その勾配の可変調整が可能な状態で支持部３により支持されているものとして構成されている。
【００４４】
すなわち、このような階段の手すり構造によれば、手すり笠木２の勾配が可変調整されることとなっており、これにより、同じ部品でさまざまな勾配の階段４１に対応できることとなっている。換言すれば、このような階段の手すり構造によれば、製作する部品の量がまとまることとなっており、これにより、工業化によるさまざまな利点が得られることとなっている。
【００４５】
ここで、階段の手すり構造は、図２に示すように、腰壁１の側面を仕上材としての板材１１で張り仕上げしてあるものとして構成されている。
【００４６】
なお、板材１１としては、杉などの木板、合板、ハードボード、石膏ボード、フレキシブルボードなどの中から適宜選定して用いることができる。
【００４７】
そして、この板材１１は、同図に示すように、腰壁１から上方に延出する延出部１１ａを有している。そして、この延出部１１ａによって手すり笠木２と腰壁１との間が塞がれている。
【００４８】
これにより、図１に示すような、手すり笠木２と腰壁１の上端縁とが平行とならない場合でも、外観を損なう事態を有効に回避することが可能となっており、しかも、手すり笠木２と腰壁１との間を下地を用いないで仕上げることが可能となっており、施工性の向上及び材料の節約を図ることが可能となっている。
【００４９】
ここで、手すり笠木２と腰壁１との間を塞ぐ技術的手段としては、これに限られるものではなく、手すり笠木２と腰壁１の上端縁とが平行とならないときに、外観を損なう事態を有効に回避し得る限り、材料や構造の別を問わず、施工性や費用を顧慮して適宜選定して差し支えない。例えば手すり笠木２と腰壁１との間を下地としての面材で塞ぐこともできる。
【００５０】
上記したように、この実施の形態１に係る階段の手すり構造によれば、手すり笠木２の勾配を可変調整することが可能となっており、同じ部品でさまざまな勾配の階段４１に対応することが可能となっている。
【００５１】
したがって、これによれば、製作する部品の量をまとめることが可能となっており、工業化によるさまざまな利点を得ることが可能となっている。
【００５２】
◎実施の形態２
図３は本発明の実施の形態２に係る階段の手すり構造の全体構成を示す側面図である。なお、実施の形態１と同様な構成要素については実施の形態１と同様な符号を付してここではその詳細な説明を省略する。
【００５３】
この実施の形態２に係る階段の手すり構造は、同図に示すように、実施の形態１と略同様であるが、上部が傾斜する腰壁１を備えた実施の形態１と異なり、上部が水平である腰壁５１を備えたものとして構成されている。
【００５４】
すなわち、実施の形態２における腰壁５１は、階段以外の部位にも用いられる部品から構成される点で、専ら階段に用いられる部品から構成される実施の形態１における腰壁１と異なっている。
【００５５】
よって、この実施の形態２に係る階段の手すり構造によれば、実施の形態１と比較して、さらに製作する部品の量をまとめることが可能となっており、これにより、工業化による利点がさらに得られることとなっている。
【００５６】
【発明の効果】
本発明に係る階段の手すり構造によれば、同じ部品でさまざまな勾配の階段に対応でき、工業化によるさまざまな利点が得られることとなる。
【図面の簡単な説明】
【図１】本発明の実施の形態１に係る階段の手すり構造の全体構成を示す側面図である。
【図２】本発明の実施の形態１に係る階段の手すり構造の部分構成を示す斜視図である。
【図３】本発明の実施の形態２に係る階段の手すり構造の全体構成を示す側面図である。
【符号の説明】
１  腰壁
２  手すり笠木
３  支持部
３ａ  第一支持部
３ｂ  第二支持部
１１  板材
１１ａ  延出部
３１  ボルト支持部
３２  高さ調整ボルト
３２ａ  ナット
４１  階段
５１  腰壁
【図１】
2004211483.tif 000003
【図２】
2004211483.tif 000004
【図３】
2004211483.tif 000005